(57)【特許請求の範囲】
【請求項１】
走行部（１３）の機体フレーム（１５）の前部に、掻込オーガ（１９）やブロア等を配置した除雪部（１１）を備え、該除雪部（１１）の後部に接続ブラケット（４６）を設け、該機体フレーム（１５）の前部に、前記接続ブラケット（４６）を嵌合して固定する接続部を形成し、前記機体フレーム（１５）に、該除雪部（１１）の接続ブラケット（４６）を着脱可能に連結した除雪機において、前記除雪部（１１）の後端部には、ブロア軸（４１）の端部に固定した除雪入力プーリ（２８）、テンションプーリ（４０）、ベルトガイド（６１）及びベルト（２９）を配置し、前記除雪入力プーリ（２８）の上部と両側を囲む如く接続ブラケット（４６）を固設し、該接続ブラケット（４６）は、断面視Ｌ字状に折り曲げ形成したプレートを門形に連結してブロアハウジング（１６）の後面に固設し、該接続ブラケット（４６）の側面は後部が外側に開くように平面断面視で「へ」字状に折り曲げ形成されてガイド部（４６ｃ）を形成し、前記機体フレーム（１５）を案内して嵌合可能とし、前記接続ブラケット（４６）の上部に被係合部（５７）として係合ピン（４９）を設け、前記機体フレーム（１５）は略矩形形状に構成し、上部に係合部として溝（４８・４８）を形成し、固定部として、前記接続ブラケット（４６）の両側にボルト挿入孔（５２）を開口し、該機体フレーム（１５）の両側に前記ボルト挿入孔に対応したネジ孔（５０）を設けてボルトにより締結固定可能としたことを特徴とする除雪機。
【発明の詳細な説明】
【技術分野】
【０００１】
本発明は、除雪機の除雪部の駆動部に関し、より詳細には、本機から除雪部に動力を伝達するベルト等の動力伝達部のメンテナンスを容易にできるように、除雪部を着脱可能にするための構造に関する。
【背景技術】
【０００２】
一般に除雪機は、走行する機体の前部に除雪部を設け、該除雪部のオーガケース内に螺旋状のオーガを回動可能に横架し、該オーガの回転によって、前方の雪を掻き込むように構成される。また、オーガケースの中央後部には後方に延出される略筒状のブロアハウジングを設けて、ブロアの回転により雪を撥ね飛ばすようにしている。そして、除雪部は、変速装置等を内装した機体フレームの一端（前端）に取付けられ、従来は、除雪部のオーガケースがボルトによって機体フレームに連結されていた。すなわち、従来の除雪部の取付構造としては、ブロアハウジングの後面に、後方を開口面とした箱形ブラケットを配設し、前方が開口される略矩形形状の機体フレームの前端部に、前記箱形ブラケットが挿入され、その後、縁周部において、機体フレームと箱形フレームをボルトにて連結されていた。
【０００３】
このような取付構造を有することにより、箱形ブラケットは、ブロアハウジングに大きな接触面積で配設されているため、機体フレームに対する除雪部の取付強度という点では優れているともいえる。しかしながら、従来の除雪部の取付構造では、箱形ブラケットと、機体フレームとを固着させるための取付ボルト等が必要となり、部品点数が多かった。また、取付ボルトのネジ締めの際に、締め付け力のばらつき等から、機体フレームに対して除雪部が傾いて配設されてしまうなどの不具合があった。
【０００４】
上記課題を解決するべく、「特許文献１」の技術が公知となっている。すなわち、前記「特許文献１」においては、ブロアハウジングの後面に取付用のブラケット等は設けず、直接、前記ブロアハウジングの後面と、機体フレームの前部とを溶接等により接合させるものである。
【特許文献１】特開２００５−２００８８０号公報
【発明の開示】
【発明が解決しようとする課題】
【０００５】
前記「特許文献１」では、除雪部の取付構造において、機体フレームとの接合部をより強固なものとしつつ、部品点数を低減させることもでき、経済的にも優れている。しかし、機体フレームの前方上面に挿通孔を開口し、該挿通孔にベルトを挿通してエンジンからの動力をブロアやオーガ等に動力を伝達する構成としていたので、ベルトの点検、および、修理等は、従来の、除雪部の脱着自在な構造と比べて、作業がしづらいものであった。そこで、本発明は、除雪機に関し上記従来の課題を解決するもので、機体フレームとの接合部の強度を維持したまま、取付位置の再現性を確保可能な除雪部の取付構造を、単純な構成により実現することが課題である。
【課題を解決するための手段】
【０００６】
本発明の解決しようとする課題は以上の如くであり、次にこの課題を解決するための手段を説明する。
【０００７】
請求項１においては、走行部（１３）の機体フレーム（１５）の前部に、掻込オーガ（１９）やブロア等を配置した除雪部（１１）を備え、該除雪部（１１）の後部に接続ブラケット（４６）を設け、該機体フレーム（１５）の前部に、前記接続ブラケット（４６）を嵌合して固定する接続部を形成し、前記機体フレーム（１５）に、該除雪部（１１）の接続ブラケット（４６）を着脱可能に連結した除雪機において、前記除雪部（１１）の後端部には、ブロア軸（４１）の端部に固定した除雪入力プーリ（２８）、テンションプーリ（４０）、ベルトガイド（６１）及びベルト（２９）を配置し、前記除雪入力プーリ（２８）の上部と両側を囲む如く接続ブラケット（４６）を固設し、該接続ブラケット（４６）は、断面視Ｌ字状に折り曲げ形成したプレートを門形に連結してブロアハウジング（１６）の後面に固設し、該接続ブラケット（４６）の側面は後部が外側に開くように平面断面視で「へ」字状に折り曲げ形成されてガイド部（４６ｃ）を形成し、前記機体フレーム（１５）を案内して嵌合可能とし、前記接続ブラケット（４６）の上部に被係合部（５７）として係合ピン（４９）を設け、前記機体フレーム（１５）は略矩形形状に構成し、上部に係合部として溝（４８・４８）を形成し、固定部として、前記接続ブラケット（４６）の両側にボルト挿入孔（５２）を開口し、該機体フレーム（１５）の両側に前記ボルト挿入孔に対応したネジ孔（５０）を設けてボルトにより締結固定可能としたものである。
【発明の効果】
【０００８】
本発明の効果として、以下に示すような効果を奏する。
【０００９】
請求項１においては、一側の固定部を解除するだけで係合部を外してエンジンから除雪部への動力伝達部を開放できるようになり、従来の取付構造のように、取付ボルトの締め具合によって、機体フレームに対する除雪部の取付位置が傾くこともなく、容易に、除雪部の着脱作業前後の再現性を確保することができ、かつ、除雪部を機体フレームから完全に分離することができるため、ブロアやオーガ駆動用ベルトの点検、修理などを容易に行うことができる。また、係合部を被係合部に係合させ、他側をボルト等により固定して除雪部を機体フレームに取り付けられるので、容易に位置決めして取り付けて固定することが可能であり、ボルト等の固定部材も削減できる。
【００１０】
また、前記係合部を溝により構成し、被係合部を前記溝に嵌合する棒状部材により構成したことにより、単純な構成で機体フレームに対する除雪部の位置決め規制が実現でき、経済的にも優れている。
例えば、本実施例においては、被係合部として丸棒部材を除雪部に設けて、該丸棒部材を、機体フレームの前端部に設けた係合部（溝）に嵌め込むことにより位置決め機能を実現させており、簡単な構造で安価に位置規制を行うことができる。
【００１１】
また、一側の固定部を解除するだけで、他側を中心に除雪部を回動して動力伝達部を開放することが可能となり、容易にメンテナンス等ができる。また、持ち上げる等の操作が不要のため、着脱時の労力を軽減できる。
【００１２】
また、除雪部の後部に配置する除雪入力プーリや駆動ベルト等が、除雪部を分離するときに、除雪部側に取り付けられたまま分離することができ、除雪部の後方が大きく開放されて、容易に点検、および、修理等を容易に行うことができる。
【発明を実施するための最良の形態】
【００１３】
次に、発明の実施の形態を説明する。
【００１４】
図１は本発明の一実施例に係る除雪機の全体的な構成を示した側面図である。図２は除雪部の掻込みオーガ付近を前方から見た斜視図である。図３はブロア軸およびオーガ軸を連結する、ギアボックスの断面を示す側面図である。
【００１５】
図４は機体フレームおよびブロアハウジングの組付け部を示す斜視図である。図５は機体フレームおよびブロアハウジングの組付け状態を示す側面図である。図６は本発明に係るブロアハウジングにおいて、機体フレームとの接続部を示す正面図である。
【００１６】
図７は同じく側面図である。図８は同じく平面図である。図９は機体フレームおよびブロアハウジングの組付け部における、別実施例を示す平面図である。図１０は除雪部の投雪シュータ付近の側面図である。
【００１７】
［除雪機１の全体構成］
まず、本発明の一実施例における、除雪機１の全体構成について、図１乃至図３により説明する。なお、図１乃至図３に示す矢印Ａの方向は、除雪機１の進行方向を示すものとし、この進行方向に向かって左右を決定するものとする。図１に示すように、除雪機１は、機体前部に配設される除雪部１１と、該除雪部１１の後方に配設される駆動部１２と、該駆動部１２の下方に配設されるクローラ式の走行部１３と、駆動部１２の後方であって機体後部に配設される運転操作部１４と、で構成されている。
【００１８】
除雪部１１には、機体フレーム１５の前部にブロアハウジング１６が連設され、該ブロアハウジング１６の前方にオーガハウジング１８が連設されている。該ブロアハウジング１６にはブロア（図示せず。）が内設されており、該ブロアはブロア軸４１の前後中途部に固設されている。オーガハウジング１８には掻込オーガ１９が内設されており、該掻込オーガ１９の回転軸たるオーガ軸４２が該オーガハウジング１８の左右方向となるように軸支されている。なお、除雪部１１の取付構造の詳細は後述する。
【００１９】
ブロアハウジング１６の上面において、左右中心より一側に偏心して上方へパイプ状の吐出口１６ａが突出して形成され、該吐出口１６ａの上端に投雪シュータ２１の基部が旋回座２０を介して水平旋回自在に嵌合されている。投雪シュータ２１は、旋回座２０に図示せぬ保持機構を係合させて任意位置で保持できるようにし、かつ、前記旋回座２０の外周に歯部を形成し、該歯部にギアを噛合して、旋回モータによりギアを回転させて、旋回座２０とともに、投雪シュータ２１を旋回して投雪方向を変更できるように構成されている。なお、投雪シュータ２１の旋回手段は本実施例のごとく旋回モータに限定されるものではなく、例えば、前記投雪シュータ２１の後面に、運転操作部１４まで延出されるシュータハンドル等を設け、人手により行う構成としてもよい。
【００２０】
上述のように構成される除雪部１１において、掻込オーガ１９によってオーガハウジング１８の左右略中央方向へ掻き込まれた雪は、ブロアによって上方へ跳ね飛ばされ、投雪シュータ２１によってその方向がガイドされて、任意の方向へ排出できるようにしている。投雪シュータ２１の上端には、回動自在に軸支されるキャップ１７が設けられており、前記排出される雪の投雪距離を調節可能としている。すなわち、投雪シュータ２１とキャップ１７との間には、引張バネ３４が設けられて上方へ回動するように付勢し、また、リンクプレート２７、ワイヤ３０を介して運転操作部１４に設けたシュート部操作レバー３６と連結され、該シュート部操作レバー３６を回動することにより前記引張バネ３４に抗してキャップ１７を回動して、雪の投雪距離が調整されることになる。なお、キャップ１７の回動手段については、手動に限定されるものではなく、モータ等により回動して、シュート部操作レバー３６をスイッチにより構成することも可能である。
【００２１】
駆動部１２には、機体フレーム１５の内側に変速装置が内設されており、該機体フレーム１５の上部にエンジン２２が載置されている。エンジン２２の動力はエンジン２２の前端より前方に突出した出力軸（図示せず）上に固設した走行出力プーリよりベルトを介して走行部１３に伝達され、該出力軸に固設した除雪出力プーリよりベルト２９を介して除雪部１１に伝達される。該走行出力プーリおよび除雪出力プーリはベルトカバー６０により覆われ、走行入力プーリは機体フレーム１５の前部内に収納されている。そして、前記除雪部１１の入力軸であるブロア軸４１の後端は除雪部の後面より後方に突出され、図４に示すように、該ブロア軸４１の後端上に除雪入力プーリ２８が固設され、該除雪入力プーリ２８の下方には外周に沿ってベルトガイド６１が除雪部の後面に固設され、更に、テンションアーム６２の下部が枢支されて、上方に延設してテンションプーリ４０を回転自在に枢支している。前記ベルトガイド６１は動力伝達時にベルト２９が外れ難くするとともに、後述する除雪部を分離した時にベルト２９が脱落せずに組付けられたままとなるようにしてメンテナンス等が容易にできるようにしている。そして、前記除雪入力プーリ２８の上部と両側を囲む如く後述する接続ブラケット４６が固設されている。このように、除雪部の後端部に、接続ブラケット４６、除雪入力プーリ２８、テンションアーム６２、テンションプーリ４０、ベルト２９、ベルトガイド６１等が組付けられて、後述する除雪部を本機から分離した時に入力側が容易にメンテナンスができるようにしている。なお、除雪部を機体側に合体させたときには除雪入力プーリ２８は機体体フレーム１５内に収納され、ベルト等はベルトカバー６０により覆われる。こうして、前記除雪出力プーリと除雪入力プーリ２８との間にベルト２９が巻回されて、テンションプーリ４０により緊張されて、エンジン２２の動力を除雪部１１に伝達するようにしている。但し、動力の伝達手段はプーリとベルトに限定するものではなく、チェーンや歯車等を用いることも可能であり限定するものではない。このようにして、除雪部１１に伝達された動力は、ブロア軸４１の前端側に設けられるギアボックス２を介して、さらにオーガ軸４２へと伝達され、ブロアおよび掻込オーガ１９が回転駆動される。すなわち、図３に示すように、ギアボックス２の内部において、ブロア軸４１の前端はギアボックス２内に挿入されて前後のベアリング５・５を介して回転自在に支持される。該ベアリング５・５の間のブロア軸４１上にウォーム３がスプライン嵌合されている。また、前記オーガ軸４２の左右中央部にはウォームホィール４が固設され、ブロア軸４１の前端下方に位置するように直交して配置され、該ウォームホィール４はウォーム３と噛合されている。
【００２２】
また、ギアボックス２の内部において、前記ウォーム３と、ベアリング５・５との間には、その前後において、それぞれ前カラー６、および、緩衝体７と鍔付カラー８が設けられ、前記ウォーム３の軸方向に対する位置規制がなされている。前記緩衝体７は、ゴム等の弾性部材から形成されており、前記ウォーム３の回転によりウォームホィール４前方へ回転駆動されている。従って、ウォーム３はその反力により軸心後方に付勢されている。このような構成を有することにより、例えば、異物の混入等により、オーガ軸４２が不意にロックされた場合には、ウォーム３が後方へ摺動するが、緩衝体７により衝撃を和らげることができる。こうして、簡単な構成でウォームギヤを保護する構成としている。
【００２３】
また、走行出力プーリと走行部１３の変速装置の入力軸に固設される走行入力プーリとの間にベルトが巻回され、エンジン２２の動力を走行部１３に伝達するようにしている。走行部１３に伝達される動力は、前記変速装置において変速された後、後述する駆動軸２３に伝達され、駆動軸２３に嵌装される駆動スプロケット２５・２５が回転駆動される。
【００２４】
走行部１３には、機体フレーム１５の下部に駆動スプロケット２５・２５が嵌装される駆動軸２３が回動可能に横架支承され、機体フレーム１５の後部に従動スプロケット２６・２６が嵌装される後車軸２４が回動可能に横架支承されている。そして、駆動スプロケット２５と従動スプロケット２６には、無端クローラベルト３１が巻回されてクローラが構成され、この左右一対のクローラによって、駆動軸２３の回動駆動により走行駆動される。
【００２５】
運転操作部１４には、機体フレーム１５の両側後部より斜め後上方に操向ハンドル３２・３２が突出され、平面視にて両操向ハンドル３２・３２間に操作ボックス３３が配設されている。前記操作ボックス３３には、エンジン２２から走行部１３への動力伝達の入切操作を行うための走行クラッチレバー３５や、エンジン２２から除雪部１１への動力伝達の入切操作を行うための除雪クラッチレバー３９や、上述の投雪シュータ２１を旋回操作したり、キャップ１７を上下回動したりするためのシュート部操作レバー３６や、エンジン２２の回転数を操作するための回転数操作レバー３７や、変速装置による変速操作を行うための走行変速レバー３８等が配置されている。
【００２６】
走行クラッチレバー３５は、操向ハンドル３２を握りながら、該走行クラッチレバー３５を握れるように構成され、操向ハンドル３２とともに握っている場合には作動し、放した場合には停止するデッドマンクラッチレバーとされている。該走行クラッチレバー３５と除雪クラッチレバー３９とは、いずれも操向ハンドル３２の近傍に配設されており、走行クラッチレバー３５と除雪クラッチレバー３９とは、いずれもクラッチＯＦＦ操作位置に付勢されている。さらに、走行クラッチレバー３５をＯＮにした状態で除雪クラッチレバー３９をＯＮにすると、除雪クラッチＯＮの操作位置でロックすることができる。
【００２７】
［除雪部１１の取付構造］
次に、除雪部１１の取付構造について、図４乃至図９により説明する。なお、図４、図５および、図７乃至図９に示す矢印Ａの方向は、除雪機１の進行方向を示すものとし、この進行方向に向かって左右を決定するものとする。除雪部１１は、ブロアハウジング１６の後方に設けられる接続ブラケット４６を介して、機体フレーム１５の後部に取付けられる。ここで、機体フレーム１５は、前後両面を開口させた略矩形形状から構成されており、その上面前部には開口部４７が設けられ、前記前面の開口部と繋がっている。
【００２８】
そして、除雪部１１の後部に接続ブラケット４６を設け、機体フレーム１５の前部に前記接続ブラケット４６を嵌合して固定する接続部を形成し、機体フレーム１５に除雪部１１を着脱可能に連結している。そして、前記接続ブラケット４６と接続部の何れか一方に係合部、他方に被係合部５７を形成し、該係合部及び被係合部５７を上部または下部または左側または右側のいずれかの一側に配置し、他側に固定部を形成している。すなわち、本実施例では、機体フレーム１５の上部に係合部として溝４８を形成し、接続ブラケット４６の上部に被係合部５７として棒状に構成した係合ピン４９を設けている。そして、接続ブラケット４６の両側にボルト挿入孔を開口し、機体フレーム１５の両側に前記ボルト挿入孔に対応したネジ孔を設けてボルトにより締結固定できるようにしている。但し、係合部と被係合部５７は溝と棒状部材に限定するものではなく、孔とフックであっても、凸部と凹部であってもよい。
【００２９】
前記係合部と被係合部５７の構成を更に詳述すると、前記機体フレーム１５の前部両側面の上部には、底部を半円形とした係合部となる溝４８・４８が設けられており、後述する、接続ブラケット４６に設けられる被係合部５７となる係合ピン４９・４９が嵌め込まれる。また、前記溝４８の下方（他側）には、ネジ孔５０が設けられており、前記接続ブラケット４６を機体フレーム１５の前部に嵌合してボルトを左右のネジ孔５０・５０に螺装して固定できるようにしている。
【００３０】
接続ブラケット４６は、断面視Ｌ字状に折り曲げ形成したプレートを門形に連結してブロアハウジング１６の後面に固設されている。また、接続ブラケット４６の側面は後部が外側に開くように平面断面視で「へ」字状に折り曲げ形成されてガイド部４６ｃが形成されて、機体フレーム１５に容易に嵌合できるように案内するようにしている。
【００３１】
接続ブラケット４６の左右両側面部４６ｂ・４６ｂの上部には、係合ピン４９・４９が左右水平方向に挿嵌され、天板４６ａの下面に当接して溶接等により固着されている。該係合ピン４９・４９は、丸棒部材から形成されており、安価で容易に製造でき、容易に固定することができる。
【００３２】
このように、係合ピン４９・４９は、天板４６ａの一部として構成されることにより、剛性の向上化が図られており、例えば、除雪機１を段差が激しい悪路での除雪作業に使用する場合には、下方からの衝撃荷重が頻繁に加えられるが、前記衝撃荷重に対しても、係合ピン４９・４９は十分耐えうる構造となっている。また、係合ピン４９を機体フレームの上面に載せて滑らせて溝に嵌合する時の抵抗が小さく、容易に嵌合できる。なお、本実施例においては、係合ピン４９・４９は接続ブラケット４６の左右両側面部４６ｂ・４６ｂに左右に分断されて設けられているが、連続した一本の丸棒部材を、前記左右両側面部４６ｂ・４６ｂに横架させる構造としてもよく、限定するものではない。
【００３３】
また、接続ブラケット４６の左右両側面部４６ｂ・４６ｂの略中央部には取付孔５２が設けられており、機体フレーム１５との組付けの際には、該機体フレーム１５に設けられるネジ孔５０とともにボルト等が挿入され、固定される。
【００３４】
そして、接続ブラケット４６を機体フレーム１５に取付ける際には、係合ピン４９の厚みをかわす量だけ、幾分接続ブラケット４６を持ち上げ、機体フレーム１５の前端部外面を覆うようにして、接続ブラケット４６を当接させる。そして、前記係合ピン４９を機体フレーム１５の溝４８に嵌合した後に、両側面に挿入されたボルトを締め込み、接続ブラケット４６は、機体フレーム１５に固定される。
【００３５】
逆に、ボルトを外し、除雪部１１を持ち上げて前方へ引き抜くことにより、除雪部１１を機体フレーム１５から完全に分離させることができる。このとき、ブロア軸４１に固定される除雪入力プーリ２８や、ベルト２９や、テンションプーリ４０等は除雪部１１側に取り付けられたままとなるため、外部に剥き出しとなり、メンテナンス等の作業が容易となる。また、機体フレーム１５の前部が開放されることにより、走行駆動側の入力プーリやベルト等のメンテナンスも容易となる。
【００３６】
なお、除雪部１１の取付構造においては、係合部として溝４８を機体フレーム１５側に、被係合部としての係合ピン４９を除雪部１１側に設けているが、逆に設けることも可能である。この場合、溝は下方に向けて開放する。また、本実施例では、係合部として溝４８と被係合部としての係合ピン４９を上部に設けているが、下部に設けることも可能である。この場合溝は側面視逆Ｌ字状として、前方を開放して係合ピンを前方より挿入し、係合ピンは側板に横架される。
【００３７】
また、上述した係合ピン４９による完全分離方式に限定されるものではなく、図９に示すように、接続ブラケット４５と機体フレーム側の接続部の左側または右側のいずれかの一側に枢支部を設けて両者を枢支し、他側に固定部を形成して、一側を側方に回動して開放する構成とすることもできる。
【００３８】
すなわち、接続ブラケット４５と機体フレーム１５前端の左右一側（本実施例では左側）に枢支軸５３を配置して枢支し、または蝶番を介して連結し、左右他側をボルトまたはピン等により固定する構成としている。なお、接続ブラケット４５の右側の側面部においては、平面視にて後方に向かって外側に徐々に傾斜したガイド部４５ａが設けられ、また、機体フレーム９の側面部においては、平面視にて前方に向かって内側に徐々に傾斜した傾斜面９ａが設けられており、両部材４５・９の取付時の嵌合がスムースにできるようにしている。なお、このガイド部４５ａと傾斜面９ａに位置決め用のピンと溝を設けることにより、更に、組立時の接続ブラケット４５と機体フレーム９との、両者のボルト孔の位置決めが容易にできる。
【００３９】
このように構成することにより、除雪部１１の左右一側が機体フレーム９に支持されているため、除雪部１１を持ち上げて着脱する必要がなくなり、労力を軽減することができる。また、固定部材であるボルトの本数も低減できる。
【００４０】
［シュータガード４３］
次に、本実施例に設けられるシュータガード４３について、図１０により説明する。ブロアハウジング１６の上方に設けられる投雪シュータ２１は、平面視にて「コの字」状に屈曲させ、前方を開口し、前上方側へ向かって緩やかに湾曲されて形成されている。そして、前記開口側の下部には、従来より、投雪シュータ２１内部に手や付着した雪の除去用の棒などが容易に挿入できないようにするために、シュータガード４３が設けられている。以下、便宜上、投雪シュータ２１の開口側を前方として、左右を決定する（図１０に示す矢印Ａの方向を前方とする。）。
【００４１】
シュータガード４３は、平面視にて「コの字」状に屈曲させた、正面視略矩形状に形成されており、前記「コの字」開口部を後方に向けて、投雪シュータ２１の前下部の内側に配設される。すなわち、シュータガード４３の左右両側面部には、下端部に回動支点軸５４が、上端部に係止軸５５が、それぞれ左右外側方に突出して設けられており、これら軸部５４・５５を、シュータガード４３の前下端とその上部に設けられる切込み溝２１ａ・２１ａに掛止させることにより、シュータガード４３を保持できるようにして入れる。ここで、投雪シュータ２１に設けられる切込み溝２１ａは、前方から後方へ向かった後、下方へ切込んだ側面視略逆Ｌ字状に形成されており、ボルト等の締結部品を用いることなく、容易にシュータガード４３を開閉、及び、取り外し可能に構成している。
【００４２】
このような構造によりシュータガード４３は形成され、通常は、投雪シュータ２１の開口下部を塞ぐ形で設けられ、投雪シュータ２１の内部に手や棒などが入るのを防いでいるが、雪詰まりが生じたときには、シュータガード４３は前方に大きく開いて、前記雪詰まりを容易に除去できる構造としている。すなわち、シュータガード４３を前方に開くには、該シュータガード４３を一旦僅かに持ち上げ、係止軸５５のみを切込み溝２１ａから外した後、回動支点軸５４を中心にして前方に回動させることにより行うのである。なお、下側の切込み溝２１ａの、上下溝部分の長さを、上側の切込み溝２１ａの上下溝部分の長さより長く構成している。
【００４３】
ところで、従来のシュータガード４４においては、投雪シュータ２１に掛止された際の、その上部、および、下部における前記投雪シュータ２１の断面積がほぼ同じとなるように設けられていた。すなわち、図１０に示す、シュータガード４４（本図中の二点鎖線で示す形状。）の裏面部と、投雪シュータ２１の後部内面との距離において、その上側のＸ寸法と、下側のＹ寸法は、ほぼ同じ値となるように、構成されていた。このようにシュータガード４４を構成した場合、ほぼ垂直に起立して投雪シュータ２１に掛止されることとなり、例えば、湿気を多く含む雪などの場合は、シュータガード４４の裏面部に付着しやすく、雪詰まりが発生し易かった。そこで、本実施例においては、シュータガード４３の前側面部は、上方へ向かって前方に傾倒させて設けることにより、従来のシュータガード４４に比べて幾分かの傾斜を持たせて（図１０に示すΘ）、雪の排出が容易にでき、詰まり難い構造としている。
【図面の簡単な説明】
【００４４】
【図１】本発明の一実施例に係る除雪機の全体的な構成を示した側面図。
【図２】除雪部の掻込みオーガ付近を前方から見た斜視図。
【図３】ブロア軸およびオーガ軸を連結する、ギアボックスの断面を示す側面図。
【図４】機体フレームおよびブロアハウジングの組付け部を示す斜視図。
【図５】機体フレームおよびブロアハウジングの組付け状態を示す側面図。
【図６】本発明に係るブロアハウジングにおいて、機体フレームとの接続部を示す正面図。
【図７】同じく側面図。
【図８】同じく平面図。
【図９】機体フレームおよびブロアハウジングの組付け部における、別実施例を示す平面図。
【図１０】除雪部の投雪シュータ付近の側面図。
【符号の説明】
【００４５】
１１    除雪部
１５    機体フレーム
１６    ブロアハウジング
１６ａ  吐出口
１８    オーガハウジング
２０    旋回座
２１    投雪シュータ
２８    除雪入力プーリ
２９    ベルト
３１    無端クローラベルト
４０    テンショナー
４１    ブロア軸
４６    接続ブラケット
４７    開口部
４８    溝
４９    係合ピン
５０    ネジ孔
【図１】
0004575328.tif 000002
【図２】
0004575328.tif 000003
【図３】
0004575328.tif 000004
【図４】
0004575328.tif 000005
【図５】
0004575328.tif 000006
【図６】
0004575328.tif 000007
【図７】
0004575328.tif 000008
【図８】
0004575328.tif 000009
【図９】
0004575328.tif 000010
【図１０】
0004575328.tif 000011